(57)【要約】【課題】  シリンダ錠を直接錠箱に取付けるようにし、破錠に対する抵抗力を高めた錠箱を提供する。【解決手段】  厚肉カップ状のシリンダ筒２の開口端縁に少なくとも１個の係合突起９を形成し、シリンダ筒２を扉４を貫通させてその開口端縁を錠箱３の室外側の側板に接合させ、係合突起９を突起穴を通して取付ブロック２０の凹陥部に係合させた状態で、錠箱３の室内側の側板及び取付ブロック２０を貫通し、先端部を係合突起の雌ねじ孔に螺合させた第１取付ねじ１７により、シリンダ筒２を錠箱の室外側の側板に呼び付けるように固定すると共に、室内側のサムターン座１８、扉４の内面、錠箱３及びこの錠箱内の取付ブロック２０を貫通し、先端部をシリンダ筒の開口端縁に形成された雌ねじ孔に螺合させた複数の第２取付ねじにより、シリンダ筒を錠箱の室外側の側板に呼び付けるように固定する。【選択図】  図８
2005146514.tif 000002
【特許請求の範囲】
【請求項１】
厚肉カップ状のシリンダ筒の開口端縁に少なくとも１個の係合突起を形成し、この係合突起、及び係合突起とは異なる角度位置におけるシリンダ筒の開口端縁の複数箇所に深い雌ねじ孔を形成し、一方、錠箱の室外側の側板にシリンダ筒の係合突起が通る突起穴を形成すると共に、錠箱内に、ダルマを一部包囲するようにして、錠箱の両側板の内面に接する取付ブロックを設け、他方、この取付ブロックの室外側の面にシリンダ筒の係合突起と係合する凹陥部を形成し、シリンダ筒を扉を貫通させてその開口端縁を錠箱の室外側の側板に接合させ、係合突起を突起穴を通して取付ブロックの凹陥部に係合させた状態で、錠箱の室内側の側板及び取付ブロックを貫通し、先端部を係合突起の雌ねじ孔に螺合させた第１取付ねじにより、シリンダ筒を錠箱の室外側の側板に呼び付けるように固定すると共に、室内側のサムターン座、扉内面、錠箱及びこの錠箱内の取付ブロックを貫通し、先端部をシリンダ筒の開口端縁に形成された雌ねじ孔に螺合させた複数の第２取付ねじにより、シリンダ筒を錠箱の室外側の側板に呼び付けるように固定したことを特徴とする錠箱。
【発明の詳細な説明】
【技術分野】
【０００１】
この発明は、錠箱に係り、特に、シリンダ錠を直接錠箱に取付けるようにし、破錠に対する抵抗力を高めた錠箱に関する。
【背景技術】
【０００２】
シリンダ錠の扉への装着の態様は、例えば下記特許文献１及び図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
そして、シリンダ筒２そのものは、その開口端縁部外周面に形成された耳ブロック１０、１０及び錠箱３を貫通する装着杆６、６を介して錠箱３に固定される。
【０００４】
しかしながら、上記した構造のシリンダ錠の取付構造は、シリンダ錠を担持したシリンダ筒２を、一対の装着杆６、６を介して錠箱のフロント板及び背板の間に懸架するわけであるから、扉面を破壊しこれらの装着杆を切断してしまえばシリンダ錠を扉面から取り外すことは比較的容易であり、安全性に欠け未だ改良の余地がある。
【０００５】
また、装着杆６の長さ方向（図１で前後方向）においてシリンダ筒が少し遊動することを完全に防止することはできず、更にまた、装着杆の弾性変形によってシリンダ筒２が図１で上下方向にも移動するから、シリンダ錠のテールピース７と錠止部材との係合が設計より狂う場合も考えられ、この場合には施解錠操作が円滑でなくなる。
【特許文献１】特願２００１−４０２５４６
【発明の開示】
【発明が解決しようとする課題】
【０００６】
そこで、この発明は、シリンダ錠を直接錠箱に取付けるようにし、破錠に対する抵抗力を高めた錠箱を提供し、もって上記した不都合を解消すると共に、錠前の安全性を向上させることを目的としている。
【課題を解決するための手段】
【０００７】
上記の目的を達成するため、この発明は、厚肉カップ状のシリンダ筒の開口端縁に少なくとも１個の係合突起を形成し、この係合突起、及び係合突起とは異なる角度位置におけるシリンダ筒の開口端縁の複数箇所に深い雌ねじ孔を形成し、一方、錠箱の室外側の側板にシリンダ筒の係合突起が通る突起穴を形成すると共に、錠箱内に、ダルマを一部包囲するようにして、錠箱の両側板の内面に接する取付ブロックを設け、他方、この取付ブロックの室外側の面にシリンダ筒の係合突起と係合する凹陥部を形成し、シリンダ筒を扉を貫通させてその開口端縁を錠箱の室外側の側板に接合させ、係合突起を突起穴を通して取付ブロックの凹陥部に係合させた状態で、錠箱の室内側の側板及び取付ブロックを貫通し、先端部を係合突起の雌ねじ孔に螺合させた第１取付ねじにより、シリンダ筒を錠箱の室外側の側板に呼び付けるように固定すると共に、室内側のサムターン座、扉内面、錠箱及びこの錠箱内の取付ブロックを貫通し、先端部をシリンダ筒の開口端縁に形成された雌ねじ孔に螺合させた複数の第２取付ねじにより、シリンダ筒を錠箱の室外側の側板に呼び付けるように固定したことを特徴とする。
【発明の効果】
【０００８】
上記のように構成されたこの発明は、シリンダ筒を錠箱の室外側の側面に呼び付けて固定する第１及び第２取付ねじが厚肉のシリンダ筒の背後に隠れると共に、錠箱内における第１及び第２取付ねじが取付ブロックに被覆されるので、取付ねじを攻撃することによるシリンダ錠の取り外しが不可能になる。
【０００９】
また、シリンダ筒の係合突起を錠箱内に差し入れることによりシリンダ筒と錠箱、或いはシリンダ筒と錠箱内の錠止部材を制御するダルマとの相対位置関係を容易かつ正確に設定できるので、錠止部材の円滑な動作を保証できる、等種々の効果を奏する。
【発明を実施するための最良の形態】
【００１０】
シリンダ錠を保持するシリンダ筒を厚肉にすると共に、これを錠箱の側板に呼び付ける取付ねじをシリンダ筒の背後に隠すようにし、かつ、錠箱を貫通する取付ねじの錠箱内における部分を取付ブロックで被覆するようにして不正破錠を不可能にした。
【実施例１】
【００１１】
以下、この発明の実施例を図２乃至図８を参照して説明する。
図２及び図３において符号２はシリンダ筒を示し、このシリンダ筒２は従来のものより肉が厚く、また、シリンダ錠１の軸線方向にドリルを通し難くするため、先端（図２で右端）が細くなるように成形されている。
【００１２】
また、図示の実施例では、基端（図２で左端）部が断面小判形になるように肉を盗まれ、この基端部を薄肉のシリンダ筒カバー８で覆われている。
【００１３】
なお、図２で化粧リング５が上下で食い違っているように見えるのは、この化粧リングが扉の厚さが変化しても使用できる構造であることを示しており、また、化粧リング５を扉４に弾圧する圧縮コイルスプリング（図１参照）の図示を省略している。
【００１４】
一方、シリンダ筒２の開口端縁の少なくとも１ヵ所（図示の実施例では時計盤面に換算して１２時の角度位置）に断面円形の係合突起９が形成されており、この係合突起９の中心軸線に沿って深い雌ねじ孔が形成されている。
【００１５】
また、シリンダ筒の開口端縁の、上記係合突起とは異なる角度位置における複数箇所（図示の実施例では４ヵ所）にも同様に深い雌ねじ孔１１、１１が形成されている。
【００１６】
なお、これはこの発明の必須の構成要件ではないが、装着時室外側となる上記雌ねじ孔の底部に鋼球を押込んでおくと、後記の取付ねじを攻撃するため雌ねじ孔の軸線方向にドリルを立てようとしても、その攻撃は鋼球に阻まれることになる。
【００１７】
他方、図４に示すように、ダルマ１２を一部包囲するようにして、錠箱３内に取付ブロック２０が設けられている。
【００１８】
なお、上記ダルマとは、デッドボルト１３を出没させる作動アーム１４と一体に結合され、シリンダ錠の内筒及びサムターンに連結される部材である。
【００１９】
上記取付ブロック２０は、図４乃至図８に示すように、錠箱の両側板の内面に接する厚さを有する（図８参照）、全体の形状が略コ字形のブロック体（図５参照）である。
【００２０】
この取付ブロック２０には、これを厚さ方向に貫通する３つのねじ通し孔１５、１５が形成されており（図５参照）、その内図５における中央のねじ通し孔には後述の第１取付ねじが、両側の一対のねじ通し孔には第２取付ねじが夫々挿通される。
【００２１】
また、この取付ブロック２０の錠箱側板内面に接する上、下面で、図５における両側のねじ通し孔１５、１５の開口部には、図６に示すように、錠箱の側板の厚さ程度の高さの付番しない環堤部が形成されており、図８に示すように、この環堤部と錠箱の側板に開口下付番しない係合孔との係合を利用して、取付ブロック２０が錠箱３内に装着される。
【００２２】
更にまた、図７に示すように、取付ブロックの中央のねじ通し孔１５の両端の開口部には、前記シリンダ筒の係合突起９（図２参照）と係合する凹陥部１６が形成されている。
【００２３】
なお、これらの凹陥部１６、１６を中央のねじ通し孔の両側に形成することはこの発明の必須の構成要件ではなく、扉の左右勝手に応じて取付ブロック２０を裏返して錠箱内に装着する場合に備えてのことである。
【００２４】
上記のように構成されたこの発明の一実施例による錠箱は、図８に示すように、シリンダ筒２を扉４を貫通させてその開口端縁を錠箱３の室外側の側板に接合させ、係合突起９を突起穴を通して取付ブロック２０の付番しない凹陥部に係合させた状態で、錠箱３の室内側の側板及び取付ブロック２０を貫通し、先端部を係合突起の雌ねじ孔に螺合させた第１取付ねじ１７により、シリンダ筒２を錠箱の室外側の側板に呼び付けるように固定する。
【００２５】
同様にして、室内側のサムターン座１８、扉４の内面、錠箱３及びこの錠箱内の取付ブロック２０を貫通し、先端部をシリンダ筒の開口端縁に形成された雌ねじ孔に螺合させた複数の第２取付ねじにより、シリンダ筒を錠箱の室外側の側板に呼び付けるように固定する。
【００２６】
なお、この時錠箱３の室外側の側面、或いは両面に厚い焼入れした板状のプロテクター２１を装着すれば、ドリルによる攻撃に対する抵抗力が更に高まる。
【図面の簡単な説明】
【００２７】
【図１】従来のシリンダ錠の扉への装着の態様を示す線図的断面図。
【図２】この発明による錠箱に装着されるシリンダ筒の断面図。
【図３】その背面図。
【図４】この発明の一実施例による錠箱の一部断面側面図。
【図５】取付ブロックの正面図。
【図６】そのＶＩ−ＶＩ線による断面図。
【図７】図５のＶＩＩ−ＶＩＩ線による断面図。
【図８】この発明の要部を示すシリンダ筒取付部の断面図。
【符号の説明】
【００２８】
１  シリンダ錠
２  シリンダ筒
３  錠箱
４  扉
５  化粧リング
７  テールピース
９  係合突起
１１  雌ねじ孔
１２  ダルマ
１５  ねじ通し孔
１６  凹陥部
１７  第１取付ねじ
１８  サムターン座
１９  第２取付ねじ
２０  取付ブロック
【図１】
2005146514.tif 000003
【図２】
2005146514.tif 000004
【図３】
2005146514.tif 000005
【図４】
2005146514.tif 000006
【図５】
2005146514.tif 000007
【図６】
2005146514.tif 000008
【図７】
2005146514.tif 000009
【図８】
2005146514.tif 000010